(57)【要約】  アンテナ部と、前記アンテナ部に接合され、前記アンテナ部を介して通信を行う機能を持っているＩＣチップとを備え、蓋付き容器に取り付けられるＩＣタグ付きシールであって、ループ状導体からなり、前記蓋付き容器の蓋と容器本体との両方に跨るように取り付けられる断線検知部をさらに備え、前記ＩＣチップは、前記断線検知部に接続され、前記断線検知部の開閉を検出する機能をさらに持っているＩＣタグ付きシール及びその取り付け方法。
2018529119.tif 000002
【特許請求の範囲】
【請求項１】
アンテナ部と、前記アンテナ部に接合され、前記アンテナ部を介して通信を行う機能を持っているＩＣチップとを備え、蓋付き容器に取り付けられるＩＣタグ付きシールであって、
ループ状導体からなり、前記蓋付き容器の蓋と容器本体との両方に跨るように取り付けられる断線検知部をさらに備え、
前記ＩＣチップは、前記断線検知部に接続され、前記断線検知部の開閉を検出する機能をさらに持っていることを特徴とするＩＣタグ付きシール。
【請求項２】
請求項１に記載のＩＣタグ付きシールにおいて、
前記蓋付き容器の開封時に前記断線検知部が断線しやすくなるように、前記断線検知部の周辺に断線補助加工を施したことを特徴とするＩＣタグ付きシール。
【請求項３】
請求項２に記載のＩＣタグ付きシールにおいて、
前記アンテナ部及び前記断線検知部の支持体となるシート状の基材と、
前記ＩＣタグ付きシールの支持体となるシート状のラベル部と、
をさらに備え、
前記断線補助加工として、前記断線検知部の周辺の前記基材と前記ラベル部に複数のスリットが形成されていることを特徴とするＩＣタグ付きシール。
【請求項４】
請求項２に記載のＩＣタグ付きシールにおいて、
前記アンテナ部及び前記断線検知部の支持体となるシート状の基材と、
前記ＩＣタグ付きシールの支持体となるシート状のラベル部と、
をさらに備え、
前記断線補助加工として、前記断線検知部の周辺の前記基材が、脆性を有する材料から構成されていることを特徴とするＩＣタグ付きシール。
【請求項５】
請求項１乃至請求項４のいずれか１項に記載のＩＣタグ付きシールにおいて、
前記アンテナ部が断線しないように、前記アンテナ部の周辺に補強加工を施したことを特徴とするＩＣタグ付きシール。
【請求項６】
請求項５に記載のＩＣタグ付きシールにおいて、
前記補強加工として、前記ラベル部に対して、前記アンテナ部と前記断線検知部の境界部分で力が伝わらないようにする構造を施したことを特徴とするＩＣタグ付きシール。
【請求項７】
請求項５に記載のＩＣタグ付きシールにおいて、
前記補強加工として、前記アンテナ部の領域における、前記ラベル部の表面もしくは前記ラベル部と前記アンテナ部との間に、補強層が形成されていることを特徴とするＩＣタグ付きシール。
【請求項８】
アンテナ部と、前記アンテナ部に接合され、前記アンテナ部を介して通信を行う機能を持っているＩＣチップとを備えるＩＣタグ付きシールを、蓋付き容器に取り付けるＩＣタグ付きシールの取り付け方法であって、
前記ＩＣタグ付きシールは、ループ状導体からなる断線検知部をさらに備え、
前記ＩＣチップは、前記断線検知部に接続され、前記断線検知部の開閉を検出する機能をさらに持っており、
前記ＩＣタグ付きシールを前記蓋付き容器に取り付ける際に、
前記断線検知部は、前記蓋付き容器の蓋と容器本体との両方に跨るように取り付けられていることを特徴とするＩＣタグ付きシールの取り付け方法。
【請求項９】
請求項８に記載のＩＣタグ付きシールの取り付け方法において、
前記ＩＣタグ付きシールを前記蓋付き容器に取り付ける際に、
前記断線検知部は、前記容器本体の側面と前記蓋の側面とに配置されていることを特徴とするＩＣタグ付きシールの取り付け方法。
【請求項１０】
請求項８に記載のＩＣタグ付きシールの取り付け方法において、
前記ＩＣタグ付きシールを前記蓋付き容器に取り付ける際に、
前記断線検知部は、前記容器本体の側面と前記蓋の側面から前記蓋の天面にかけて配置されていることを特徴とするＩＣタグ付きシールの取り付け方法。
【請求項１１】
請求項８乃至請求項１０のいずれか１項に記載のＩＣタグ付きシールの取り付け方法において、
前記アンテナ部は前記容器本体の側に配置されていることを特徴とするＩＣタグ付きシールの取り付け方法。
【請求項１２】
請求項８乃至請求項１０のいずれか１項に記載のＩＣタグ付きシールの取り付け方法において、
前記アンテナ部は前記蓋の側に配置されていることを特徴とするＩＣタグ付きシールの取り付け方法。
【請求項１３】
請求項８に記載のＩＣタグ付きシールの取り付け方法において、
前記アンテナ部は、アンテナ特性のインピーダンスマッチングを行うためのインピーダンス調整用回路、またはアンテナ用ループ回路を備え、
前記蓋は金属シュリンクキャップであり、
前記ＩＣタグ付きシールを、前記インピーダンス調整用回路または前記アンテナ用ループ回路の少なくとも一部と、前記金属シュリンクキャップとが重ならないようにして取り付けることを特徴とするＩＣタグ付きシールの取り付け方法。
【請求項１４】
請求項１乃至請求項７のいずれか１項に記載のＩＣタグ付きシールが取り付けられた蓋付き容器。
【発明の詳細な説明】
【技術分野】
【０００１】
本発明は、ＩＣタグ付きシール及びその取り付け方法に関し、特に、酒瓶などの蓋付き容器の蓋が開封される時に、ＩＣタグの通信機能が維持され、蓋の開封を検知することができるＩＣタグ付きシール及びその取り付け方法に関するものである。
【背景技術】
【０００２】
現在、世界的に例えばお酒などの物品管理、物流管理、真贋判定へのニーズが高まっている。その物品管理、物流管理、真贋判定などに使われているＩＣタグとして、リーダライタと非接触方式で通信し、リーダライタとの間で情報を伝達するＲＦＩＤタグが知られている。ＲＦＩＤタグは、無線信号を処理するためのＲＦＩＣチップと、無線信号を送受信するためのアンテナとで構成され、ＲＦＩＤタグのアンテナとリーダライタのアンテナとの間で、磁界や電波を介して、所定の情報が高周波信号として送受信される。
【０００３】
ところで、酒瓶の不正開封や、ＩＣタグの再利用を防止するために、酒瓶開封時にＩＣタグを破壊する必要がある。
上記酒瓶開封時にＩＣタグを破壊するための技術として、例えば特許文献１には、アンテナを金属蓋と容器本体との両方に跨るようにして取り付け、蓋開封時にアンテナを破壊して、アンテナが壊れることで金属蓋の開封を検知するＩＣタグ付きシール及びその貼り付け方法が開示されている。蓋開封時にアンテナを破壊しやすくために、特許文献１のＩＣタグ付きシールは、アンテナのインピーダンス調整用回路を切るための脆性加工を施すように構成されている。
【先行技術文献】
【特許文献】
【０００４】
【特許文献１】ＷＯ２００６/０１６５５９号公報
【発明の概要】
【発明が解決しようとする課題】
【０００５】
しかしながら、特許文献１のＩＣタグ付きシールによれば、酒瓶開封時にインピーダンス調整用回路を含めてアンテナが壊れることで蓋の開封を検知することができるが、断線後は通信ができなくなってしまう。一方、ＩＣタグが故障した場合でも通信不能になる場合があるので、上記通信不能は正常使用で開封したから通信できないのか、ＩＣタグの故障により通信できないのかを区別することができなくなってしまう。
【０００６】
また、ＩＣタグが通信できないと、ＩＣタグに記録された情報（例えば、個体番号など）を読み込むことができないため、開封後の物品管理や真贋判定などもできなくなってしまう。
【０００７】
本発明は、上記課題に鑑みてなされたものであり、蓋付き容器の開封時に開封を検知することができるとともに、開封後にも通信ができ、ＩＣタグに記録された情報を読み込むことができるＩＣタグ付きシール及びその取り付け方法を提供することを目的とする。
【課題を解決するための手段】
【０００８】
前記課題を解決するために、本発明に係るＩＣタグ付きシールは、アンテナ部と、前記アンテナ部に接合され、前記アンテナ部を介して通信を行う機能を持っているＩＣチップとを備え、蓋付き容器に取り付けられるＩＣタグ付きシールであって、ループ状導体からなり、前記蓋付き容器の蓋と容器本体との両方に跨るように取り付けられる断線検知部をさらに備え、前記ＩＣチップは、前記断線検知部に接続され、前記断線検知部の開閉を検出する機能をさらに持っていることを特徴としている。
【０００９】
また、前記課題を解決するために、本発明に係るＩＣタグ付きシールの取り付け方法は、アンテナ部と、前記アンテナ部に接合され、前記アンテナ部を介して通信を行う機能を持っているＩＣチップとを備えるＩＣタグ付きシールを、蓋付き容器に取り付けるＩＣタグ付きシールの取り付け方法であって、前記ＩＣタグ付きシールは、ループ状導体からなる断線検知部をさらに備え、前記ＩＣチップは、前記断線検知部に接続され、前記断線検知部の開閉を検出する機能をさらに持っており、前記ＩＣタグ付きシールを前記蓋付き容器に取り付ける際に、前記断線検知部は、前記蓋付き容器の蓋と容器本体との両方に跨るように取り付けられていることを特徴としている。
【発明の効果】
【００１０】
本発明によれば、ＩＣタグは断線検知部のみを切断し、蓋付き容器の開封（断線）を識別しているため、断線検知部を切断してもリーダライタとの通信が可能であり、開封後でもＩＣタグのＵＩＤ（Ｕｓｅｒ  Ｉｄｅｎｔｉｆｉｅｒ）やＥＰＣ（Ｅｌｅｃｔｒｉｃ  Ｐｒｏｄｕｃｔ  Ｃｏｄｅ）などの個体識別番号をリーダライタにて読み取ることができるという効果がある。
【図面の簡単な説明】
【００１１】
【図１（Ａ）】本発明の実施の形態１に係るＵＨＦ帯のＩＣタグ付きシールの構成を示す平面図である。
【図１（Ｂ）】ＨＦ帯のＩＣタグ付きシールの構成を示す平面図である。
【図２】本発明の実施の形態１に係るＩＣタグ付きシールの貼り付け方法を説明するための概略平面図である。
【図３】本発明の実施の形態１に係るＩＣチップの概略構成図である。
【図４（Ａ）】は本発明の実施の形態１に係るＩＣタグ付きシールのアンテナ部の構成を詳細に説明するための概念図である。
【図４（Ｂ）】は本発明の実施の形態１に係るＩＣタグ付きシールのアンテナ部の構成を詳細に説明するための概念図である。
【図４（Ｃ）】は本発明の実施の形態１に係るＩＣタグ付きシールのアンテナ部の構成を詳細に説明するための概念図である。
【図４（Ｄ）】は本発明の実施の形態１に係るＩＣタグ付きシールのアンテナ部の構成を詳細に説明するための概念図である。
【図５（Ａ）】本発明の実施例１に係るＵＨＦ帯のＩＣタグ付きシールの構成を示す平面図である。
【図５（Ｂ）】図５（Ａ）に示すＡ-Ａ線に沿ってＵＨＦ帯のＩＣタグ付きシールを切断した概要断面図である。
【図５（Ｃ）】ＨＦ帯のＩＣタグ付きシールを切断した概要断面図である。
【図６（Ａ）】本発明の実施例２に係るＵＨＦ帯のＩＣタグ付きシールの構成を示す平面図である。
【図６（Ｂ）】図６（Ａ）に示すＢ-Ｂ線に沿ってＵＨＦ帯のＩＣタグ付きシールを切断した概要断面図である。
【図６（Ｃ）】ＨＦ帯のＩＣタグ付きシールを切断した概要断面図である。
【図７（Ａ）】本発明の実施例３に係るＩＣタグ付きシールの構成を示す平面図である。
【図７（Ｂ）】図７（Ａ）に示すＣ-Ｃ線に沿ってＩＣタグ付きシールを切断した概要断面図である。
【図８（Ａ）】本発明の実施の形態２に係るＵＨＦ帯のＩＣタグ付きシールの貼り付け方を説明するための概略平面図である。
【図８（Ｂ）】本発明の実施の形態２に係るＵＨＦ帯のＩＣタグ付きシールの貼り付け方を説明するための概略平面図である。
【図８（Ｃ）】本発明の実施の形態２に係るＵＨＦ帯のＩＣタグ付きシールの貼り付け方を説明するための概略平面図である。
【図９（Ａ）】本発明の実施の形態２に係るＨＦ帯のＩＣタグ付きシールの貼り付け方を説明するための概略平面図である。
【図９（Ｂ）】本発明の実施の形態２に係るＨＦ帯のＩＣタグ付きシールの貼り付け方を説明するための概略平面図である。
【図９（Ｃ）】本発明の実施の形態２に係るＨＦ帯のＩＣタグ付きシールの貼り付け方を説明するための概略平面図である。
【図１０（Ａ）】実施の形態３に係るＩＣタグ付きシールの貼り付け方を説明するための概略斜視図である。
【図１０（Ｂ）】実施の形態３に係るＩＣタグ付きシールの貼り付け方を説明するための概略斜視図である。
【図１０（Ｃ）】実施の形態３に係るＩＣタグ付きシールの貼り付け方を説明するための概略斜視図である。
【図１０（Ｄ）】実施の形態３に係るＩＣタグ付きシールの貼り付け方を説明するための概略斜視図である。
【発明を実施するための形態】
【００１２】
以下、本発明の実施の形態１について図１〜４を参照しながら説明する。
［実施の形態１］
図１は本実施の形態１に係るＩＣタグ付きシールの構成を示す平面図であり、図１（Ａ）はＵＨＦ帯のＩＣタグ付きシール４００であり、図１（Ｂ）はＨＦ帯のＩＣタグ付きシール４００’である。
【００１３】
図１（Ａ）に示すように、ＵＨＦ帯のＩＣタグ付きシール４００は、ＩＣタグインレット１００と、ＩＣタグ付きシール４００の支持体となるシート状のラベル上紙４１とを備える。ＩＣタグインレット１００は、アンテナである放射素子１０と、アンテナ特性のインピーダンスマッチングを調整するためのインピーダンス調整用回路１１と、一端がインピーダンス調整用回路１１に接合されたＩＣチップ１２と、ＩＣチップ１２の他端に接続され、ループ状導体からなる断線検知回路１３と、放射素子１０、インピーダンス調整用回路１１および断線検知回路１３の支持体となるシート状の基材１４とを備える。なお、放射素子１０とインピーダンス調整用回路１１とは、リーダライタのアンテナ（未図示）と通信するためのアンテナ部を構成している。
【００１４】
また、図１（Ａ）におけるＩＣタグインレット１００の点線の左の部分は、後述の図２に示すようにＩＣタグ付きシールが貼り付けられた、例えば、酒瓶などの蓋付き容器６００を開封する際に壊したい部分であり、断線検知回路１３を有する部分である。点線の右の部分は、蓋付き容器６００を開封する際に壊したくない部分であり、放射素子１０とインピーダンス調整用回路１１とＩＣチップ１２とを有する部分である。
【００１５】
また、図１（Ａ）の円形点線枠で囲んだ部分のように、放射素子１０は、開封時に壊しても良い部分を形成してもよい。より詳しく説明すると、本来であれば放射素子１０も壊したくないが、インピーダンス調整用回路１１を切断しなければ最大の性能ではないが通信ができる。そのため、上記円形点線枠で囲んだ部分はインピーダンス調整用回路１１にかからない範囲で切断してもよいとは言える。
【００１６】
図１（Ｂ）に示すように、ＨＦ帯のＩＣタグ付きシール４００’は、ＩＣタグインレット１００’と、ＩＣタグ付きシール４００’の支持体となるシート状のラベル上紙４１とを備える。ＩＣタグインレット１００’は、アンテナ用ループ回路１５と、一端がアンテナ用ループ回路１５に接合されたＩＣチップ１２と、ＩＣチップ１２の他端に接続され、ループ状導体からなる断線検知回路１３と、アンテナ用ループ回路１５および断線検知回路１３の支持体となるシート状の基材１４とを備える。なお、アンテナ用ループ回路１５は、リーダライタのアンテナ（未図示）と通信するためのアンテナ部を構成している。
【００１７】
また、図１（Ｂ）におけるＩＣタグインレット１００’の点線の左の部分は、蓋付き容器６００を開封する際に壊したい部分であり、断線検知回路１３を有する部分である。点線の右の部分は、蓋付き容器６００を開封する際に壊したくない部分であり、アンテナ用ループ回路１５とＩＣチップ１２とを有する部分である。
【００１８】
次に、本実施の形態のＩＣタグ付きシールの貼り付け方法を説明する。
図２は本実施の形態に係るＩＣタグ付きシール４００の貼り付け方法を説明するための概略平面図である。蓋付き容器６００は蓋６１０と容器本体６２０を備え、本実施の形態において、蓋付き容器６００は、高級酒等の液体物品を収容する金属製蓋付きボトル等とする。また、蓋６１０の材質は、アルミニウム等の導電性のある材質とする。
【００１９】
図２に示すように、ＵＨＦ帯のＩＣタグ付きシール４００を、断線検知回路１３が蓋６１０と容器本体６２０との両方に跨るように、蓋付き容器６００に貼り付ける。
本実施の形態においては、インピーダンス調整用回路１１及び放射素子１０のインピーダンス調整用回路１１にかかる部分は、蓋６１０と容器本体６２０との両方に跨らないように取り付けられ、インピーダンス調整用回路１１及び放射素子１０のインピーダンス調整用回路１１にかかる部分を、容器本体６２０側に取り付ける。しかし、例えば、蓋６１０の材質は導電性のある材質ではなくて、プラスチック等の非導電性材質である場合に、インピーダンス調整用回路１１及び放射素子１０のインピーダンス調整用回路１１にかかる部分を、蓋６１０側に取り付けてもよい。
【００２０】
なお、図２に示したのはＵＨＦ帯のＩＣタグ付きシール４００の貼り付け方法である。また、図示しないが、ＨＦ帯のＩＣタグ付きシール４００’も、断線検知回路１３が蓋６１０と容器本体６２０との両方に跨るように構成されている。
【００２１】
次に、本実施の形態のＩＣチップの概略構成を説明する。
図３は本実施の形態に係るＩＣチップ１２の概略構成図である。ＩＣチップ１２は、インピーダンス調整用回路１１（ＵＨＦ帯）またはアンテナ用ループ回路１５（ＨＦ帯）に接続し、リーダライタのアンテナ（未図示）と通信を行う機能を持っている通信機能部と、断線検知回路１３に接続し、断線検知回路１３の開閉を検出する機能を持っている断線検知機能部と、を備える。
【００２２】
なお、本実施の形態においては、ＩＣチップはＮＸＰ  Ｓｅｍｉｃｏｎｄｕｃｔｏｒｓ社製ＵＣＯＤＥ  Ｇ２ｉＬ＋  を使用したが、これに限らず、例えば、ＮＸＰ  Ｓｅｍｉｃｏｎｄｕｃｔｏｒｓ社製ＵＣＯＤＥ  Ｇ２ｉＭ＋や、ＥＭ  Ｍｉｃｒｏｅｌｅｃｔｒｏｎｉｃ社のＮＦ４など、アンテナ端子の他に、断線検知回路の抵抗値より断線を検知できるＩＣチップを使用してもよい。
【００２３】
以上のように構成された本実施の形態のＩＣタグ付きシールによれば、蓋６１０と容器本体６２０との両方に跨るように取り付けられる断線検知回路１３を備え、ＩＣチップ１２は、断線検知回路１３に接続され、断線検知回路１３の開閉を検出する機能を持っており、インピーダンス調整用回路１１（ＵＨＦ帯）及び放射素子１０のインピーダンス調整用回路１１にかかる部分、またはアンテナ用ループ回路１５（ＨＦ帯）は、蓋６１０と容器本体６２０との両方に跨らないように取り付けられているため、蓋付き容器６００の開封時に断線検知回路１３を確実に破壊するとともに、アンテナ部は破壊せずに通信が可能である。従って、蓋付き容器が開封された後で、開封したことを識別できるとともに、ＩＣタグのＵＩＤ、ＥＰＣなどの個体識別番号をリーダライタにて読み取ることができ、物品管理、物流管理、真贋判定などを引き続き行うことができる。
【００２４】
次に、本実施の形態に係るＩＣタグ付きシールのアンテナ部の構成を詳細に説明する。
図４は本実施の形態に係るＩＣタグ付きシールのアンテナ部の構成を詳細に説明するための概念図である。図４（Ａ）は図１（Ａ）の構成に対応している。図４（Ａ）に示すように、アンテナ部は放射素子１０とインピーダンス調整用回路１１とからなり、インピーダンス調整用回路１１はループ型インピーダンスマッチング調整用回路であり、インピーダンス調整用回路１１と放射素子１０とは電気的につながっている。
【００２５】
また、図４（Ｂ）に示すように、アンテナ部は放射素子１０とインピーダンス調整用回路１１とからなり、インピーダンス調整用回路１１はループ型インピーダンスマッチング調整用回路であり、インピーダンス調整用回路１１と放射素子１０とは電気的かつ物理的につながっていても良い。
【００２６】
また、図４（Ｃ）に示すように、アンテナ部はインピーダンス調整用回路１１’からなり、インピーダンス調整用回路１１’はスリット型インピーダンスマッチング調整用回路であっても良い。
【００２７】
また、図４（Ｄ）に示すように、アンテナ部はインピーダンス調整用回路１１を有しなく、放射素子１０のみを備え、放射素子１０とＩＣチップ１２とを直接に接続しても良い。
【００２８】
以下、本発明の実施例１〜３について、図５〜６を参照しながら説明する。
［実施例１］
図５（Ａ）は本実施例１に係るＵＨＦ帯のＩＣタグ付きシール４００の構成を示す平面図であり、図５（Ｂ）は図５（Ａ）に示すＡ-Ａ線に沿ってＵＨＦ帯のＩＣタグ付きシール４００を切断した概要断面図であり、図５（Ｃ）はＨＦ帯のＩＣタグ付きシール４００’を切断した概要断面図である。
【００２９】
蓋付き容器を開封する時に、断線検知回路１３が断線しやすくなるようにする必要があるため、ＩＣタグ付きシールは、断線検知回路１３の周辺に断線補助加工を施すように構成されている。
【００３０】
図５（Ｂ）のＵＨＦ帯のＩＣタグ付きシール４００は、ラベル上紙４１を備える。ラベル上紙４１の裏面には、粘着層４２を介してＩＣタグインレット１００が貼り付けられる。ＩＣタグインレット１００は、図１（Ａ）に示すような放射素子１０、インピーダンス調整用回路１１及び断線検知回路１３を含む導体層４３が基材１４の片面に形成されており、ＩＣチップ１２が導体層４３に配置されている。ラベル上紙４１の裏面残部とＩＣタグインレット１００には粘着層４５が塗布されて覆われる。
【００３１】
図５（Ｃ）のＨＦ帯のＩＣタグ付きシール４００’と、図５（Ｂ）のＵＨＦ帯のＩＣタグ付きシール４００との相違点は、ＩＣタグインレット１００’の構成である。ＩＣタグインレット１００’は、図１（Ｂ）に示すようなアンテナ用ループ回路１５及び断線検知回路１３を含む導体層４３、４４が基材１４の両面に形成されており、ＩＣチップ１２が導体層４３に配置されている。
【００３２】
また、本実施例において、基材１４としては、例えばＰＥＴフィルム等が挙げられる。導体層４３、４４としては、例えばアルミ等の金属が挙げられる。なお、ラベル上紙４１の表面側には、希望や必要に応じて商標や美麗な絵柄等の印刷が適宜施されてもよい。
【００３３】
また、図５（Ｂ）と図５（Ｃ）におけるＩＣタグインレット１１の向きは一例に過ぎず、インレット向きは逆でもよい。この点は、下記実施例２〜４においても同様である。
本実施例において、断線補助加工の一例として、図５（Ａ）に示すように、断線検知回路１３の周辺の基材１４とラベル上紙４１に複数のスリット１６を形成する。この複数のスリット１６は、例えばＩＣタグ付きシール４００の端縁部から断線検知回路１３に向かって形成される。なお、スリット１６が断線検知回路１３まで達していなくても断線補助の効果は生じる。
【００３４】
本実施例１によれば、開封時に断線検知回路１３はアンテナ部よりも断線しやすくなるため、断線検知回路を確実に破壊するとともに、アンテナ部を守ることができる。
［実施例２］
図６（Ａ）は本実施例２に係るＵＨＦ帯のＩＣタグ付きシール４００の構成を示す平面図であり、図６（Ｂ）は図６（Ａ）に示すＢ-Ｂ線に沿ってＵＨＦ帯のＩＣタグ付きシール４００を切断した概要断面図であり、（Ｃ）はＨＦ帯のＩＣタグ付きシール４００’を切断した概要断面図である。
【００３５】
図６（Ａ）、（Ｂ）のＵＨＦ帯のＩＣタグ付きシール４００は、ラベル上紙４１を備える。ラベル上紙４１の裏面には、粘着層４２を介してＩＣタグインレット１０１が貼り付けられる。ＩＣタグインレット１０１は、図１（Ａ）に示すような放射素子１０、インピーダンス調整用回路１１及び断線検知回路１３を含む導体層４３が基材１４’の片面に形成されており、ＩＣチップ１２が導体層４３に配置されている。ラベル上紙４１の裏面残部とＩＣタグインレット１０１には粘着層４５が塗布されて覆われる。
【００３６】
図６（Ｃ）のＨＦ帯のＩＣタグ付きシール４００’と、図６（Ｂ）のＵＨＦ帯のＩＣタグ付きシール４００との相違点は、ＩＣタグインレット１０１’の構成である。ＩＣタグインレット１０１’は、図１（Ｂ）に示すようなループ回路１５及び断線検知回路１３を含む導体層４３、４４が基材１４’の両面に形成されており、ＩＣチップ１２が導体層４３に配置されている。
【００３７】
また、導体層４３、４４としては、例えば金属箔や金属インキ等が挙げられる。
本実施例において、断線補助加工の他の一例として、基材１４’は、例えば紙や脆性フィルム等の脆性を有する材料から構成されている。
【００３８】
また、図６（Ａ）〜（Ｃ）に示すように、本実施例において、ＩＣタグインレット１０１、１０１’は、断線検知回路部分とアンテナ部分から構成されている。開封時にアンテナ部分が断線しないようにするために、アンテナ部分の周辺に補強加工を施す必要がある。
【００３９】
上記補強加工の一例として、例えば、図６（Ｂ）、（Ｃ）に示すように、ＩＣタグインレット１０１、１０１’のアンテナ部分において、ラベル上紙４１の表面に補強層４６が形成されている。また、図示しないが、補強層４６は、ラベル上紙４１とアンテナ部との間、例えば、ラベル上紙４１と粘着層４２との間に形成されてもよい。
【００４０】
なお、本実施例２においては、さらに上記実施例１と同じように、基材１４’とラベル上紙４１に複数のスリットを形成してもよい。
本実施例２によれば、上記実施例１と同様に、開封時に断線検知回路を確実に破壊するとともに、アンテナ部を守ることができる。
【００４１】
［実施例３］
図７（Ａ）は本実施例３に係るＩＣタグ付きシール４００の構成を示す平面図であり、図７（Ｂ）は図７（Ａ）に示すＣ-Ｃ線に沿ってＩＣタグ付きシール４００を切断した概要断面図である。
【００４２】
図７（Ｂ）に示すように、ＩＣタグ付きシール４００は、ラベル上紙４１を備える。ラベル上紙４１の裏面には、粘着層４２を介してＩＣタグインレット１０２が貼り付けられる。ＩＣタグインレット１０２は、放射素子１０及びインピーダンス調整用回路１１を含む導体層４３が一方の面に形成された基材１４’と、断線検知回路１３を含む導体層４４が一方の面に形成された脆性層１７とから構成されている。基材１４’の他方の面は脆性層１７の他方の面と剥がしやすくなるように結合されている。ＩＣチップ１２が導体層４３に配置されている。ラベル上紙４１の裏面残部とＩＣタグインレット１０２には粘着層４５が塗布されて覆われる。
【００４３】
また、図７（Ａ）、（Ｂ）に示すように、本実施例において、ＩＣタグインレット１０２は、断線検知回路部分とアンテナ部分から構成されている。導体層４３はアンテナ部分に配置され、導体層４４は断線検知回路部分に配置されている。
【００４４】
本実施例においては、蓋付き容器の開封時に、断線検知回路部分側（図７（Ｂ）の左側）からラベル上紙４１を剥がそうとすると、基材１４’と脆性層１７とが分離され、断線検知回路１３が先に壊れる。
【００４５】
しかしながら、そのまま引き続き剥ぐと、力がアンテナ部分に伝われ、アンテナ部を壊す可能性がある。上記問題を回避するための補強加工として、図７（Ａ）に示すように、本実施例はラベル上紙４１に対して、アンテナ部分と断線検知回路部分の境界部分で力が伝わらないようにする構造を施した。上記構造の一例として、ラベル上紙４００はアンテナ部分と断線検知回路部分の境界部分の近くに、２個の略半円状の裂け目１８を形成する。
【００４６】
上記構成によれば、開封時に断線検知回路を確実に破壊するとともに、アンテナ部を守ることができる。
以下、本発明の実施の形態２について図８〜９を参照しながら説明する。
【００４７】
［実施の形態２］
図８（Ａ）〜（Ｃ）は本実施の形態２に係るＵＨＦ帯のＩＣタグ付きシール４００の貼り付け方を説明するための概略平面図である。図９（Ａ）〜（Ｃ）は本実施の形態２に係るＨＦ帯のＩＣタグ付きシール４００’の貼り付け方を説明するための概略平面図である。
【００４８】
本実施の形態２における蓋付き容器６００は、金属シュリンクキャップなどの金属材料から構成される蓋６１０が付いた酒瓶である。この場合、ＩＣタグ付きシール４００の貼り付け位置によってＩＣタグの通信が金属シュリンクキャップにより影響される場合がある。
【００４９】
先ず、図８（Ａ）に示すようにＩＣタグ付きシール４００を蓋付き容器６００に取り付けると、インピーダンス調整用回路１１は蓋６１０に全く重ならないので、通信に対する影響がなくて一番望ましい。
【００５０】
次ぎ、図８（Ｂ）に示すようにＩＣタグ付きシール４００を蓋付き容器６００に取り付けると、インピーダンス調整用回路１１の一部は蓋６１０に重なっているが、まだ通信可能であるため、問題がない。
【００５１】
そして、図８（Ｃ）に示すようにＩＣタグ付きシール４００を蓋付き容器６００に取り付けると、インピーダンス調整用回路１１はすべて蓋６１０に隠れたため、通信ができなくなる。
【００５２】
従って、蓋６１０が金属材料から構成される場合に、ＩＣタグ付きシール４００を蓋付き容器６００に取り付ける際に、インピーダンス調整用回路１１の少なくとも一部が蓋６１０に重ならないようにする必要がある。
【００５３】
また、上記と同じ理由で、図９（Ａ）〜（Ｃ）に示すようにＨＦ帯のＩＣタグ付きシール４００’を蓋付き容器６００に取り付ける際にも、アンテナ用ループ回路１５の少なくとも一部が蓋６１０に重ならないようにする必要がある。
【００５４】
また、本実施の形態ではＩＣタグ付きシールを金属シュリンクキャップの外側に貼り付けているが、その内側に貼り付けてもよい。
［実施の形態３］
本発明は酒瓶などの蓋の高さが高い容器だけではなく、容器本体と蓋からなる蓋付き容器すべてに適用されている。このような蓋付き容器の形状として、例えば、図１０（Ａ）、（Ｃ）に示すように蓋６１０の高さが高い蓋付き容器６００と、図１０（Ｂ）、（Ｄ）に示すように蓋６１０’の高さが低い蓋付き容器６００’とがある。以下、タグ付きシールをいろいろな形状の蓋付き容器に貼り付ける方法について図１０（Ａ）〜（Ｄ）を参照しながら説明する。
【００５５】
図１０（Ａ）〜（Ｄ）は本実施の形態３に係るＩＣタグ付きシール６００の貼り付け方を説明するための概略斜視図である。なお、図１０（Ａ）〜（Ｄ）においては、説明を簡単にするため、ＩＣタグ付きシール４００の断線検知部１３とアンテナ部１９以外の部分は省略されている。
【００５６】
先ず、図１０（Ａ）に示すように、ＩＣタグ付きシール６００は、高さが高い蓋６１０と、容器本体６２０とからなる。ＩＣタグ付きシール４００を蓋付き容器６００に取り付けるとき、断線検知部１３が容器本体６２０の側面と蓋６１０の側面とに配置されており、蓋６１０の高さが高いため、断線検知部１３が蓋６１の天面には届かない。また、アンテナ部１９が容器本体６２０の側に配置されている。
【００５７】
次ぎ、図１０（Ｂ）に示すように、ＩＣタグ付きシール６００’は、高さが低い蓋６１０’と、容器本体６２０’とからなる。ＩＣタグ付きシール４００を蓋付き容器６００’に取り付けるとき、蓋６１０’の高さが低いため、断線検知部１３が容器本体６２０’の側面と蓋６１０’の側面から蓋６１０’の天面にかけて配置されている。また、アンテナ部１９は容器本体６２０’の側に配置されている。
【００５８】
また、図１０（Ａ）、（Ｂ）においては、ＩＣタグ付きシール４００を蓋付き容器６００、６００’に取り付けるとき、アンテナ部１９を容器本体６２０、６２０’の側に配置されているが、これに限らず、例えば、図１０（Ｃ）、（Ｄ）に示すように、アンテナ部１９を蓋６１０、６１０’の側に配置しても良い。
【００５９】
以上、本発明の実施の形態と実施例について説明したが、発明の要旨を逸脱しない範囲で、種々の省略、置き換え、変更を行うことができる。
【符号の説明】
【００６０】
１０  放射素子（アンテナ）、１１、１１’  インピーダンス調整用回路、１２  ＩＣチップ、１３  断線検知回路（断線検知部）、１４、１４’  基材、１５  アンテナ用ループ回路、１６  スリット、１７  脆性層、１８  裂け目、１９  アンテナ部、４１  ラベル上紙（ラベル部）、４２、４５  粘着層、４３、４４  導体層、４６  補強層、１００、１００’、１０１、１０１’、１０２  ＩＣタグインレット、４００、４００’  ＩＣタグ付きシール、６００、６００’  蓋付き容器、６１０、６１０’  蓋、６２０、６２０’  容器本体。
【図１（Ａ）】
2018529119.tif 000003
【図１（Ｂ）】
2018529119.tif 000004
【図２】
2018529119.tif 000005
【図３】
2018529119.tif 000006
【図４（Ａ）】
2018529119.tif 000007
【図４（Ｂ）】
2018529119.tif 000008
【図４（Ｃ）】
2018529119.tif 000009
【図４（Ｄ）】
2018529119.tif 000010
【図５（Ａ）】
2018529119.tif 000011
【図５（Ｂ）】
2018529119.tif 000012
【図５（Ｃ）】
2018529119.tif 000013
【図６（Ａ）】
2018529119.tif 000014
【図６（Ｂ）】
2018529119.tif 000015
【図６（Ｃ）】
2018529119.tif 000016
【図７（Ａ）】
2018529119.tif 000017
【図７（Ｂ）】
2018529119.tif 000018
【図８（Ａ）】
2018529119.tif 000019
【図８（Ｂ）】
2018529119.tif 000020
【図８（Ｃ）】
2018529119.tif 000021
【図９（Ａ）】
2018529119.tif 000022
【図９（Ｂ）】
2018529119.tif 000023
【図９（Ｃ）】
2018529119.tif 000024
【図１０（Ａ）】
2018529119.tif 000025
【図１０（Ｂ）】
2018529119.tif 000026
【図１０（Ｃ）】
2018529119.tif 000027
【図１０（Ｄ）】
2018529119.tif 000028
【国際調査報告】
2018529119.tif 000029
2018529119.tif 000030
2018529119.tif 000031
2018529119.tif 000032
2018529119.tif 000033
2018529119.tif 000034